(57)【要約】      （修正有）【課題】電子装置の取り落としを防止することができる保護ケースを提供する。【解決手段】本考案に係る保護ケースは、ケース本体１０を備え、保護ケースは、ケース本体１０のバック１０１から延在し且つケース本体１０のバック１０１と角度をなす連接部２０及び連接部２０に設けられたリング３０を備える。【選択図】図２
0003202898.tif 000002
【実用新案登録請求の範囲】
【請求項１】
ケース本体を備える保護ケースであって、
前記保護ケースは、前記ケース本体のバックから延在して形成され、且つ前記ケース本体のバックと夾角を形成する連接部及び前記連接部に設けられたリングを備えることを特徴とする保護ケース。
【請求項２】
前記ケース本体のバックには、前記連接部及び前記リングに対応する収容部が設置されており、前記収容部は、前記連接部及び前記リングを収容することを特徴とする請求項１に記載の保護ケース。
【請求項３】
前記リングは、前記ケース本体のバックに近接する方向に沿う作用力下で、前記連接部を連動して前記収容部に向かって傾斜させており、それにより、前記連接部及び前記リングを前記収容部内に収容させることを特徴とする請求項２に記載の保護ケース。
【請求項４】
前記収容部は、第一凹溝及び第二凹溝を備え、前記第一凹溝は、前記連接部に対応する形状であり、前記連接部を収容し、前記第二凹溝は、前記リングに対応する環形凹溝であり、前記リングを収容することを特徴とする請求項２に記載の保護ケース。
【請求項５】
前記第二凹溝は前記リングとの間に締り嵌めを形成し、前記リングは前記ケース本体のバックに近接する方向に沿う作用力下で、変形を発生して前記第二凹溝に押し込まれて、前記第二凹溝に固定され且つ収容されることを特徴とする請求項４に記載の保護ケース。
【請求項６】
前記ケース本体のバックには、前記収容部のエッジに沿って凹部が設置されていることを特徴とする請求項２に記載の保護ケース。
【請求項７】
前記連接部は、熱可塑性ポリウレタンから製造されたことを特徴とする請求項１〜６のいずれかに記載の保護ケース。
【請求項８】
前記連接部は、前記ケース本体と一体成形されたことを特徴とする請求項１〜６のいずれかに記載の保護ケース。
【請求項９】
前記連接部は、前記リングと一体成形されたことを特徴とする請求項１〜６のいずれかに記載の保護ケース。
【請求項１０】
前記連接部は、前記ケース本体のバックに対して９０度の角度をなすことを特徴とする請求項１〜６のいずれかに記載の保護ケース。
【考案の詳細な説明】
【技術分野】
【０００１】
本考案は、保護ケースに関し、特に電子装置が落下して壊れることを防止する保護ケースに関するものである。
【背景技術】
【０００２】
携帯電話及びタブレットパソコンなどの電子装置の損壊を防止するために、ユーザーは通常電子装置に保護ケースを装着する。従来技術の保護ケースは、電子装置が落ちる際の衝撃力を緩和して損壊を低減させるが、電子装置が落下しないようにすることができない。
【考案の概要】
【考案が解決しようとする課題】
【０００３】
本考案は、前記問題を解決し、電子装置の落下を防止することができる保護ケースを提供することを目的とする。
【課題を解決するための手段】
【０００４】
上記の目的を達成するために、本考案に係る保護ケースは、ケース本体、ケース本体のバックから延在し且つ前記ケース本体のバックと角度をなす連接部及び前記連接部に設けられたリングを備える。
【考案の効果】
【０００５】
上記の目的を達成するために、本考案に係る保護ケースは、ユーザーが電子装置を使用する時前記リングに貫かせて電子装置をしっかり把持して、電子装置を落すことを防止できる。
【図面の簡単な説明】
【０００６】
【図１】図１は、本考案の実施形態に係る保護ケースを示す図である。
【図２】図２は、本考案の実施形態に係る保護ケースの使用状態を示す図である。
【図３】図３は、本考案の実施形態に係る保護ケースのリングが収容部に収容されている使用状態を示す図である。
【図４】図４は、図１の保護ケースのＩＶ−ＩＶ線に沿う断面図である。
【考案を実施するための形態】
【０００７】
図１に示したように、本実施形態に係る保護ケース１００は、ケース本体１０、連接部２０及びリング３０を含む。
【０００８】
本実施形態に係るケース本体１０は、ケース本体のバック１０１と、ケース本体のバック１０１の周縁からケース本体のバック１０１から離れる方向にそって延在し、且つケース本体のバック１０１と共同して収容空間を形成する抵止部１０２と、を含む。電子装置（図に示せず）に対応する形状を有するケース本体１０は、電子装置を収容し、且つ保護する。抵止部１０２は、電子装置の充電ジャック、イヤホンジャック、カメラ、フラッシュ、スピーカー等を露出させる貫通孔１０２１が設置されている。
【０００９】
連接部２０は、ケース本体のバック１０１から抵止部１０２と離れる方向に沿って延在しており、連接部２０とケース本体のバック１０１と間に形成された夾角の角度は、０度より大きく、１８０度より小さい角αである。本実施形態において、角αは、９０度である。
【００１０】
連接部２０の端部に設置されたリング３０は、ユーザーが保護ケース１００を把持する時、指を通過して使用することを用いられる。図２に示したように、電子装置の落下を防止する。リング３０は、円形のリング、楕円のリング或いは方形のリング、又は他の不規則の形状のリングである。本実施形態において、リング３０は、円形のリングである。
【００１１】
ケース本体のバック１０１には、連接部２０及びリング３０を収容する収容部１０３が設置されている。図３及び図４に示したように、リング３０は、ケース本体のバック１０１に近接する方向に沿う作用力下で、連接部２０を連動させて、収容部１０３に向かって傾斜している。それにより、連接部２０及びリング３０が収容部１０３内に収容される。
【００１２】
具体的に、収容部１０３は、第一凹溝１０３１及び第二凹溝１０３２を含む。連接部２０に対応する形状である第一凹溝１０３１は、連接部２０を収容し、リング３０に対応する環形凹溝である第二凹溝１０３２は、リング３０を収容する。第二凹溝１０３２とリング３０との間に締り嵌めを形成し、即ち第二凹溝１０３２の外径と内径との差は、リング３０の外径と内径との差より小さい。それにより、リング３０は、ケース本体のバック１０１に近接する方向に沿う作用力下で、変形を発生して第二凹溝１０３２に押し込まれて、第二凹溝１０３２に固定され、且つ第二凹溝１０３２に収容される。それに反して、リング３０は、ケース本体のバック１０１と離れる方向に沿う作用力下で、変形を発生して第二凹溝１０３２から引き出される。
【００１３】
ケース本体のバック１０１には、収容部１０３のエッジに沿って凹部１０４が設置されている。前記連接部２０及びリング３０が収容部１０３に収容されて係合された時、ユーザーが便利に引き出すことできる。本実施形態において、凹部１０４は、第二凹溝１０３２の内径に沿って設置されているが、他の実施形態において、第二凹溝１０３２の外径に沿って設置されてもよい。
【００１４】
連接部２０は、熱可塑性ポリウレタンから製造される。本実施形態において、ケース本体１０、連接部２０及びリング３０は一体成形される。具体的には、保護ケース１００を製造する時、連接部２０及びリング３０は、ケース本体のバック１０１から縦型射出成形によって成形される。他の実施形態において、ケース本体１０は連接部２０と一体成形されたが、リング３０は連接部２０に連接される。また、連接部２０は、リング３０と一体成形されたが、連接部２０はケース本体１０のバックに可動的に連接される。
【００１５】
また、ケース本体のバック１０１には、必要によって異なる指が通過する複数の連接部２０及びリング３０が設置されてもよい。
【００１６】
本実用新案は、保護ケース１００のケース本体のバック１０１に指が通過するリング３０を設置することにより、ユーザーが電子装置を使用する時に電子装置をしっかり把持して、電子装置の落下が防止できる。電子装置を使用しない時、リング３０を収容部１０３に収容して、余計な空間を占用しない。
【符号の説明】
【００１７】
１０  ケース本体
１００  保護ケース
１０１  ケース本体のバック
１０２  抵止部
１０２１  貫通孔
１０３  収容部
１０３１  第一凹溝
１０３２  第二凹溝
１０４  凹部
２０  連接部
３０  リング
【図１】
0003202898.tif 000003
【図２】
0003202898.tif 000004
【図３】
0003202898.tif 000005
【図４】
0003202898.tif 000006